(57)【要約】【課題】表示部を備える電子機器の検査の進捗状況の把握が容易且つ安価にできて検査漏れを防止できる検査システムを提供する。【解決手段】液晶テレビ２における複数の検査項目の検査を、検査用リモコン３を用いて所定の順番で行う検査システム１において、液晶テレビ２に、検査用リモコン３から送信された検査が終了した検査項目の検査終了情報を記憶する検査終了データファイル２３ａと、各検査項目の検査終了情報毎に異なる色画面を表示部２４に表示させる検査進捗表示プログラム２３ｅを実行するＣＰＵ２１と、を備えた。【選択図】    図２
2006133410.tif 000002
【特許請求の範囲】
【請求項１】
表示部を備える電子機器における複数の検査項目の検査を、検査用のリモートコントローラを用いて所定の順番で行う検査システムにおいて、
前記電子機器は、
前記リモートコントローラから送信された、検査が終了した検査項目の検査終了情報を記憶する検査終了情報記憶手段と、
各検査項目の検査終了情報毎に異なる色表示を前記表示部に表示させる表示制御手段と、を備え、
前記表示制御手段は、前記検査終了情報記憶手段に記憶された最新の検査終了情報に対応した色表示を前記表示部に表示させることを特徴とする電子機器の検査システム。
【請求項２】
表示部を備える電子機器における複数の検査項目の検査を行う検査システムにおいて、
前記電子機器は、
検査が終了した検査項目の検査終了情報を記憶する検査終了情報記憶手段と、
前記検査終了情報記憶手段に記憶された検査終了情報に基づいて、前記検査の検査項目の検査終了情報に対応した検査進捗表示を前記表示部に表示させる表示制御手段と、
を備えることを特徴とする電子機器の検査システム。
【請求項３】
前記検査進捗表示は、前記検査工程毎に異なる色であることを特徴とする請求項２に記載の電子機器の検査システム。
【請求項４】
表示部を備える電子機器における複数の検査項目の検査を所定の順番で行う検査システムにおいて、
前記電子機器は、
検査が終了した検査項目の検査終了情報を記憶する検査終了情報記憶手段と、
各検査項目の検査終了情報毎に異なる色表示を前記表示部に表示させる表示制御手段と、を備え、
前記表示制御手段は、前記検査終了情報記憶手段に記憶された最新の検査終了情報に対応した色表示を前記表示部に表示させることを特徴とする電子機器の検査システム。
【発明の詳細な説明】
【技術分野】
【０００１】
本発明は、表示部を備える電子機器の検査システムに関する。
【背景技術】
【０００２】
通常、液晶テレビ等の表示部を備える電子機器の出荷時の検査工程としては、ホワイトバランス等の画面表示の検査・調整，チューナ等の音声検査・調整，外部入力確認等がある。そして、従来、上記の検査のうち画面表示の検査・調整等は、実際に画面に表示することにより、行われている。
【０００３】
例えば、ＬＥＤディスプレイにおいて、表示パネルのそれぞれについてＬＥＤランプの短絡又は断線を電気回路により検出して、故障しているＬＥＤ等の発光素子がどの表示パネルに含まれるものであるかを調べる方法が知られている（特許文献１）。
【０００４】
また、マトリックス型の液晶表示装置において、特殊な画像パターンが正しく表示されるかを調べることにより、画像データが正しく伝送されているかを調べる方法も知られている（特許文献２）。
【０００５】
また、画素がデルタ配列された液晶表示装置において、駆動電源と画素との接続を工夫することによりカラー単色表示を検査する方法も知られている。（特許文献３）。
【０００６】
そして、通常、上記の検査は、工場において流れ作業で行われる。したがって、どの検査項目まで検査が終了したかは、流れ作業のどこに当該製品があるかにより判断できる。
【０００７】
また、例えば、検査チェックシートを用いて、検査員が各検査項目が終了する毎に記入して、検査がどこまで終了したか確認する方法も知られている。
【特許文献１】特開２００１−１２５５４０
【特許文献２】特開２０００−２８３８８７
【特許文献３】特開平１１−３１６３８８号公報
【発明の開示】
【発明が解決しようとする課題】
【０００８】
しかしながら、流れ作業の途中で、流れ作業のラインのどこかに問題があった場合には、製品を一度ラインから取り除いてラインを調べ、ラインの検査が終了してから製品を元に戻す作業が必要になる。この際、どの製品がどの検査項目まで検査が終了したかが判断できず、混乱が生じ、効率が非常に悪い。
【０００９】
また、どの検査項目まで検査が終了したのかを判断できないことから、検査漏れ等が生じ、製品の不良等が発生しやすいという問題がある。
【００１０】
一方、検査チェックシートを用いた場合には、上記した問題は解決されるものの、検査員がいちいち検査チェックシートに記入しなくてはならないので煩雑であるとともに、多くの紙が必要となるためコストがかかるという問題がある。
【００１１】
本発明の課題は、表示部を備える電子機器の検査の進捗状況の把握が容易且つ安価にできて検査漏れを防止できる検査システムを提供することである。
【課題を解決するための手段】
【００１２】
請求項１に記載の発明は、表示部を備える電子機器における複数の検査項目の検査を、検査用のリモートコントローラを用いて所定の順番で行う検査システムにおいて、前記電子機器は、前記リモートコントローラから送信された検査が終了した検査項目の検査終了情報を記憶する検査終了情報記憶手段と、各検査項目の検査終了情報毎に異なる色表示を前記表示部に表示させる表示制御手段と、を備え、前記表示制御手段は、前記検査終了情報記憶手段に記憶された最新の検査終了情報に対応した色表示を前記表示部に表示させることを特徴としている。
【００１３】
請求項２に記載の発明は、表示部を備える電子機器における複数の検査項目の検査を行う検査システムにおいて、前記電子機器は、検査が終了した検査項目の検査終了情報を記憶する検査終了情報記憶手段と、前記検査終了情報記憶手段に記憶された検査終了情報に基づいて、前記検査の検査項目の検査終了情報に対応した検査進捗表示を前記表示部に表示させる表示制御手段と、を備えることを特徴としている。
【００１４】
請求項３に記載の発明は、請求項２に記載の電子機器の検査システムにおいて、前記検査進捗表示は、前記検査工程毎に異なる色であることを特徴としている。
【００１５】
請求項４に記載の発明は、表示部を備える電子機器における複数の検査項目の検査を所定の順番で行う検査システムにおいて、前記電子機器は、検査が終了した検査項目の検査終了情報を記憶する検査終了情報記憶手段と、各検査項目の検査終了情報毎に異なる色表示を前記表示部に表示させる表示制御手段と、を備え、前記表示制御手段は、前記検査終了情報記憶手段に記憶された最新の検査終了情報に対応した色表示を前記表示部に表示させることを特徴としている。
【発明の効果】
【００１６】
請求項１に記載の発明によれば、検査終了情報記憶手段により、リモートコントローラから送信された検査が終了した検査項目の検査終了情報が記憶され、表示制御手段により、検査終了情報記憶手段に記憶された最新の検査終了情報に対応した色表示が表示部に表示されるので、どの検査項目まで検査が終了したのかを容易に判断できることとなって、検査漏れ等を防ぐことができ、製品の不良等の発生を防ぐことができる。
【００１７】
また、検査チェックシートを用いずに検査を行うことができるので、検査員がいちいち検査チェックシートに記入しなくても良いこととなって、検査チェックシートへの記入における煩雑さをなくすとともに、紙を節約できることとなって、コストを抑えることができ、安価に検査を行うことができる。
【００１８】
請求項２に記載の発明によれば、検査終了情報記憶手段により、検査が終了した検査項目の検査終了情報が記憶され、表示制御手段により、検査終了情報記憶手段に記憶された検査終了情報に基づいて、検査の検査項目の検査終了情報に対応した検査進捗表示が表示部に表示されるので、検査進捗表示を一目すれば、どの検査項目の検査が終了したのかを容易に判断できることとなって、検査漏れ等を防ぐことができ、製品の不良等の発生を防ぐことができる。
【００１９】
また、検査チェックシートを用いずに検査を行うことができるので、検査員がいちいち検査チェックシートに記入しなくても良いこととなって、検査チェックシートへの記入における煩雑さをなくすとともに、紙を節約できることとなって、コストを抑えることができ、安価に検査を行うことができる。
【００２０】
請求項３に記載の発明によれば、検査進捗表示は検査項目毎に異なる色であるので、各検査項目に対応する色が検査進捗表示において表示されているか否かを一目すれば、どの検査項目の検査が終了したのかを容易に判断できることとなって、検査漏れ等を防ぐことができ、製品の不良等の発生を防ぐことができる。
【００２１】
請求項４に記載の発明によれば、検査終了情報記憶手段により、検査が終了した検査項目の検査終了情報が記憶され、表示制御手段により、検査終了情報記憶手段に記憶された最新の検査終了情報に対応した色表示が表示部に表示されるので、どの検査項目まで検査が終了したのかを容易に判断できることとなって、検査漏れ等を防ぐことができ、製品の不良等の発生を防ぐことができる。
【発明を実施するための最良の形態】
【００２２】
（第１の実施形態）
以下、図を参照して本発明に係る検査システムを実施するための最良の形態を詳細に説明する。なお、本発明の実施形態では、電子機器としての液晶テレビ２の検査システム１を例に挙げて説明する。
【００２３】
図１に本発明の実施形態に係る液晶テレビ２を示し、図２に、本発明の実施形態に係る液晶テレビ２の検査システム１の構成を示す。
図１，２に示すように、液晶テレビ２の検査システム１は、液晶テレビ２と、この液晶テレビ２の検査を行うための検査用リモートコントローラ（以下、検査用リモコンという。）３などにより構成される。
【００２４】
液晶テレビ２は、ＣＰＵ（Central Processing Unit）２１、ＲＡＭ（Random Access Memory）２２、記憶部２３、表示部２４、通信部２５、チューナ２６、スピーカ２７等を
備え、各部はバス２８により接続される。また、通信部２５は、検査用リモコン３と、例えば赤外線等により通信可能となっている。
【００２５】
ＣＰＵ２１は、記憶部２３に格納された各種処理プログラムに従って各種の制御動作を行う。より具体的には、ＣＰＵ２１は、記憶部２３に記憶されたプログラムを実行することにより、検査用リモコン３から送信される操作信号に従って液晶テレビ２の検査を行う。
【００２６】
ＲＡＭ２２は、ＣＰＵ２１により実行された処理プログラム等を、ＲＡＭ２２内のプログラム格納領域に展開するとともに、入力データや上記処理プログラムが実行される際に生じる処理結果等をワークエリアに格納する。
【００２７】
記憶部２３は、プログラムやデータ等が予め記憶されている記録媒体（図示省略）を有しており、この記録媒体は磁気的、光学的記録媒体、若しくは半導体メモリで構成されている。記憶部２３は、例えば、図２に示すように、検査終了情報記憶手段としての検査終了データファイル２３ａ等を記憶する。
【００２８】
検査終了データファイル２３ａは、複数の検査項目のうちどの検査項目が終了したかを記憶するものである。より具体的には、検査終了データファイル２３ａは、各検査項目と各検査項目の終了・未終了とが対応付けられて記憶されている。
【００２９】
また、記憶部２３は、液晶テレビ２で実行可能なシステムプログラム、当該システムプログラムで実行可能な各種処理プログラム等を格納している。これらのプログラムは、ＣＰＵ２１が読み取り可能なプログラムコードの形で記憶部２３に格納されている。具体的には、ホワイトバランス検査・調整プログラム２３ｂ、チューナ音声検査・調整プログラム２３ｃ、外部入力確認プログラム２３ｄ、表示制御手段としての検査進捗表示プログラム２３ｅ等が格納されている。
【００３０】
ホワイトバランス検査・調整プログラム２３ｂは、例えば、ＣＰＵ２１に、液晶テレビ２の表示部２４のホワイトバランスを検査・調整し、当該ホワイトバランスの検査・調整が終了した際に、検査終了データファイル２３ａに当該ホワイトバランスの検査・調整の終了を記憶する機能を実現させるプログラムである。より具体的には、ＣＰＵ２１に、液晶テレビ２の表示部２４の現在のホワイトバランスの数値を検出して当該数値等を表示部２４に表示し、検査員により検査用リモコン３及び通信部２５を介して入力されたホワイトバランスの数値に合わせて液晶テレビ２の表示部２４のホワイトバランスを調整し、検査終了データファイル２３ａに当該ホワイトバランスの検査・調整の終了を記憶する機能
を実現させるプログラムである。
【００３１】
チューナ音声検査・調整プログラム２３ｃは、例えば、ＣＰＵ２１に、液晶テレビ２のチューナ２６及びスピーカ２７の性能を検査調整し、当該チューナ２６及びスピーカ２７の音声検査・調整が終了した際に、検査終了データファイル２３ａに当該チューナ２６及びスピーカ２７の音声検査・調整の終了を記憶する機能を実現させるプログラムである。より具体的には、ＣＰＵ２１に、チューナ２６を制御することにより、外部アンテナ（図示省略）により受信されたテレビ放送用電波の中から特定のチャンネルの放送電波のみを抽出させ、その音声をスピーカ２７を介して確認し、調整を行って、検査終了データファイル２３ａに当該チューナ２６の音声検査・調整の終了を記憶する機能を実現させるプログラムである。
【００３２】
外部入力確認プログラム２３ｄは、例えば、ＣＰＵ２１に、液晶テレビ２の外部入力機能を確認し、当該外部入力機能の確認が終了した際に、検査終了データファイル２３ａに当該外部入力機能確認の終了を記憶するプログラムである。より具体的には、ＣＰＵ２１に、液晶テレビ２に接続されたパソコン等の外部機器からの入力シグナルを検出させ、表示部２４にその検出結果を表示させ、検査終了データファイル２３ａに当該外部入力機能確認の終了を記憶する機能を実現させるプログラムである。
【００３３】
検査進捗表示プログラム２３ｅは、例えば、ＣＰＵ２１に、各検査項目の終了・未終了を示す検査進捗表示を表示部２４に表示させる機能を実現させるプログラムである。より具体的には、ＣＰＵ２１に、検査終了データファイル２３ａを検索して、各検査項目の終了・未終了の情報を抽出し、抽出した各検査項目の終了・未終了の情報に対応した検査進捗表示を表示部２４に表示させる機能を実現させるプログラムである。ＣＰＵ２１は、かかる検査進捗表示プログラム２３ｅを実行することにより、表示制御手段として機能する。
【００３４】
そして、第１の実施形態においては、検査進捗表示は、検査項目毎に異なる色画面（色表示）であって、ＣＰＵ２１は、検査進捗表示プログラム２３ｅを実行することにより、検査終了データファイル２３ａを検索して、最新に終了した検査項目を抽出し、抽出した終了項目に対応した色画面を表示部２４に表示させる機能を実現させる。
【００３５】
表示部２４は、例えば、色の三原色となるＲ（Ｒｅｄ），Ｇ（Ｇｒｅｅｎ），Ｂ（Ｂｌｕｅ）に対応する各画素をデルタ状に配設した高解像度カラー液晶表示パネル等から構成されている。そして、表示部２４は、ＣＰＵ２１における検査進捗表示プログラム２３ｅの実行により、各検査項目の終了・未終了の情報に対応した検査進捗表示を表示する。
【００３６】
通信部２５は、検査用リモコン３との間で通信を行うための受信部（図示省略）を備えている。より具体的には、例えば、検査用リモコン３から送信される赤外線等を受信部において受信し、受信した信号に基づいて、ＣＰＵ２１に操作信号を出力する。
【００３７】
チューナ２６は、例えば、外部アンテナ（図示省略）により受信されたテレビ放送用電波の中から、ＣＰＵ２１がチューナ音声検査・調整プログラム２３ｃを実行することによって指定されたチャンネルの放送電波のみを抽出して、ＣＰＵ２１へ出力する。
【００３８】
スピーカ２７は、Ｄ／Ａ変換部（図示省略）を備えており、ＣＰＵ２１から入力される音声信号等の音声データをＤ／Ａ変換して音声出力する。
【００３９】
検査用リモコン３は、図２、３に示すように、検査員から入力された情報を通信部２５に送信するための送信部３１を備えている。より具体的には、検査用リモコン３は、例えば、検査員が各種の操作信号を入力するための各種のキー等を備え、入力された操作信号
を送信部３１から赤外線等により通信部２５に送信する。また、検査用リモコン３は、図３に示すように、各検査項目に対応する検査項目キー３２を備えている。
【００４０】
次に、上述のような構成の液晶テレビ２の検査システム１の動作を説明する。第１の実施形態にかかる検査システム１では、各液晶テレビ２が、検査ライン（図示省略）上に並べられ、流れ作業により、各検査項目が検査される。また、第１の実施形態にかかる検査システム１においては、各検査項目は所定の順番で検査され、例えば、ホワイトバランス検査・調整、チューナ音声検査・調整、外部入力確認の順で検査される。
【００４１】
図４に示すように、検査員が、検査用リモコン３のホワイトバランス検査・調整キーを選択すると、ＣＰＵ２１は、ホワイトバランス検査・調整プログラム２３ｂを実行することにより、表示部２４のホワイトバランスを検査・調整し、当該ホワイトバランスの検査・調整が終了した際に、検査終了データファイル２３ａに当該ホワイトバランスの検査・調整の終了を記憶する（ステップＳ１）。より具体的には、ＣＰＵ２１は、液晶テレビ２の表示部２４の現在のホワイトバランスの数値を検出して当該数値等を表示部２４に表示し、検査員から検査用リモコン３及び通信部２５を介して入力されたホワイトバランスの数値に合わせて液晶テレビ２の表示部２４のホワイトバランスを調整する。次いで、ＣＰＵ２１は、当該ホワイトバランスの検査・調整が終了した際に、検査終了データファイル２３ａに当該ホワイトバランスの検査・調整の終了を記憶する。
【００４２】
次に、ＣＰＵ２１は、検査進捗表示プログラム２３ｅを実行することにより、各検査項目の終了・未終了の情報に対応した検査進捗表示を表示部２４に表示させる（ステップＳ２）。より具体的には、ＣＰＵ２１は、検査終了データファイル２３ａを検索して、最新に終了したホワイトバランス検査・調整の項目を抽出し、抽出したホワイトバランス検査・調整項目に対応する検査進捗表示を表示部２４に表示させる。第１の実施形態におけるホワイトバランス検査・調整の項目に対応する検査進捗表示は赤い画面（色表示）であり、表示部２４において赤い画面が表示される。
【００４３】
次に、検査員が、検査用リモコン３のチューナ音声検査・調整キーを選択すると、ＣＰＵ２１は、チューナ音声検査・調整プログラム２３ｃを実行することにより、チューナ２６及びスピーカ２７の性能を検査調整し、当該チューナ２６及びスピーカ２７の音声検査・調整が終了した際に、検査終了データファイル２３ａに当該チューナ２６及びスピーカ２７の音声検査・調整の終了を記憶する（ステップＳ３）。より具体的には、ＣＰＵ２１は、チューナ２６を制御することにより、外部アンテナ（図示省略）により受信されたテレビ放送用電波の中から特定のチャンネルの放送電波のみを抽出させ、その音声をスピーカ２７を介して確認し、調整を行う。次いで、ＣＰＵ２１は、当該チューナ２６及びスピーカ２７の音声検査・調整が終了した際に、検査終了データファイル２３ａに当該チューナ２６の音声検査・調整の終了を記憶する。
【００４４】
次に、ＣＰＵ２１は、検査進捗表示プログラム２３ｅを実行することにより、各検査項目の終了・未終了の情報に対応した検査進捗表示を表示部２４に表示させる（ステップＳ４）。より具体的には、ＣＰＵ２１は、検査終了データファイル２３ａを検索して、最新に終了したチューナ音声検査・調整の項目を抽出し、抽出したチューナ音声検査・調整の項目に対応する検査進捗表示を表示部２４に表示させる。第１の実施形態におけるチューナ音声検査・調整の項目に対応する検査進捗表示は青い画面（色表示）であり、表示部２４において青い画面が表示される。
【００４５】
ここで、例えば、検査ラインに異常が発生した場合、検査ラインから液晶テレビ２は取り除かれて検査が中断され、検査ラインの点検が行われる（ステップＳ５）。次いで、検査ラインの点検が終了すると、液晶テレビ２は、検査ラインに戻され、検査が再開される
（ステップＳ６）。
【００４６】
次いで、ＣＰＵ２１は、検査進捗表示プログラム２３ｅを実行することにより、検査終了データファイル２３ａを検索して、最新に終了した検査項目、即ちステップＳ４で検査した液晶テレビ２の場合はチューナ音声検査・調整の項目、を抽出し、抽出したチューナ音声検査・調整の項目に対応する検査進捗表示を表示部２４に表示させる。第１の実施形態におけるチューナ音声検査・調整の項目に対応する検査進捗表示は青い画面（色表示）であり、表示部２４において青い画面が表示される（ステップＳ７）。これにより、当該液晶テレビ２の検査がチューナ音声検査・調整の項目まで終了したことが分かることとなる。
【００４７】
次いで、検査員が、検査用リモコン３の外部入力確認キーを選択すると、ＣＰＵ２１は、外部入力確認プログラム２３ｄを実行することにより、液晶テレビ２の外部入力機能を確認し、当該外部入力機能の確認が終了した際に、検査終了データファイル２３ａに当該外部入力機能確認の終了を記憶する（ステップＳ８）。より具体的には、ＣＰＵ２１は、液晶テレビ２に接続されたパソコン等の外部機器からの入力シグナルを検出させ、表示部２４にその検出結果を表示させ、検査終了データファイル２３ａに当該外部入力機能確認の終了を記憶する。
【００４８】
次に、ＣＰＵ２１は、検査進捗表示プログラム２３ｅを実行することにより、各検査項目の終了・未終了の情報に対応した検査進捗表示を表示部２４に表示させる（ステップＳ９）。より具体的には、ＣＰＵ２１は、検査終了データファイル２３ａを検索して、最新に終了した外部入力確認の項目を抽出し、抽出した外部入力確認の項目に対応する検査進捗表示を表示部２４に表示させる。第１の実施形態における外部入力確認の項目に対応する検査進捗表示は黄色い画面（色表示）であり、表示部２４において黄色い画面が表示される。
【００４９】
次いで、検査員が、検査用リモコン３の検査完了キーを選択すると当該液晶テレビ２の検査が終了する。
【００５０】
なお、本実施形態では、ホワイトバランス検査・調整，チューナ音声検査・調整，外部入力確認の３つの検査項目を例示して説明したが、検査項目はこれ以外にあってもよい。
【００５１】
以上に説明した、第１の実施形態に係る液晶テレビ２の検査システム１によれば、ＣＰＵ２１は、検査進捗表示プログラム２３ｅを実行することにより、検査終了データファイル２３ａを検索して、最新に終了した検査項目を抽出し、抽出した検査項目に対応する検査進捗表示である色画面を表示部２４に表示させるので、どの検査項目まで検査が終了したのかを容易に判断できることとなって、検査漏れ等を防ぐことができ、製品の不良等の発生を防ぐことができる。
【００５２】
また、検査チェックシートを用いずに検査を行うことができるので、検査員がいちいち検査チェックシートに記入しなくても良いこととなって、検査チェックシートへの記入における煩雑さをなくすとともに、紙を節約できることとなって、コストを抑えることができ、安価に検査を行うことができる。
（第２の実施形態）
第２の実施形態に係る液晶テレビ２の検査システム１Ａでは、各検査項目が終了した際に表示部２４に表示される検査進捗表示４の構成のみが第１の実施形態の検査進捗表示である色画面と異なるため、第１の実施形態の液晶テレビ２の検査システム１と同様の構成については、同一符号を付すとともに、その説明を省略する。
【００５３】
第２の実施形態に係る検査進捗表示４は、各検査項目の終了・未終了の情報に対応する
表示であって、当該検査進捗表示４が表示部２４に表示されることにより、一目でどの検査項目が終了したのかが容易に判断できるようになっている。より具体的には、検査進捗表示４は、図５に示すように、各検査項目の終了毎に異なる複数の色からなる表示であり、表示部２４の一部において、終了した検査項目の色のみを表示するものである。例えば、ホワイトバランスの検査・調節と外部入力確認が終了した場合には、ホワイトバランス検査・調節及び外部入力確認の終了を示すそれぞれの色、例えば、赤及び黄色、が表示される。
【００５４】
上述のような構成の液晶テレビ２の検査システム１Ａにおける検査の流れは、第１の実施形態に係る検査システム１における検査の流れとは異なり、複数の検査項目のうちどの検査項目から検査されても良い。そして、第１の実施形態に係る検査システム１における検査と同様に、各液晶テレビ２が、検査ライン（図示省略）上に並べられ、流れ作業により、各検査項目が検査される。
【００５５】
以上に説明した第２の実施形態に係る液晶テレビ２の検査システム１Ａによれば、ＣＰＵ２１は、検査進捗表示プログラム２３ｅを実行することにより、検査終了データファイル２３ａに基づいて、各検査項目の終了・未終了を示す検査進捗表示４を表示部２４に表示させるので、検査進捗表示４を一目すれば、どの検査項目の検査が終了したのかを容易に判断できることとなって、検査漏れ等を防ぐことができ、製品の不良等の発生を防ぐことができる。
【００５６】
また、検査進捗表示４は各検査項目の終了毎に異なる複数の色からなる表示であるので、各検査項目に対応する色が検査進捗表示４において表示されているか否かを一目すれば、どの検査項目の検査が終了したのかを容易に判断することができる。
【００５７】
また、検査チェックシートを用いずに検査を行うことができるので、検査員がいちいち検査チェックシートに記入しなくても良いこととなって、検査チェックシートへの記入における煩雑さをなくすとともに、紙を節約できることとなって、コストを抑えることができ、安価に検査を行うことができる。
（第３の実施形態）
第３の実施形態に係る液晶テレビ２の検査システム１Ｂでは、検査用リモコン３Ａの構成のみが第２の実施形態の検査用リモコン３と異なるため、第２の実施形態の液晶テレビ２の検査システム１Ａと同様の構成については、同一符号を付すとともに、その説明を省略する。
【００５８】
第３の実施形態に係る検査用リモコン３Ａは、図６に示すように、各検査項目に対応する検査項目キー３２Ａ等を備えており、それぞれの検査項目キー３２Ａの色は異なり、各検査項目キー３２Ａの色は、検査進捗表示４における各検査項目の終了を示す色と同じであるようになっている。そして、第２の実施形態と同様に、検査員から検査用リモコン３Ａに備えられた各種のキーを介して入力された各種の操作信号を送信部３１Ａから赤外線等により通信部２５に送信する。
【００５９】
以上に説明した第３の実施形態に係る液晶テレビ２の検査システム１Ｂによれば、検査用リモコン３Ａに備えられた各検査項目に対応する検査項目キー３２Ａの色は異なり、検査進捗表示４における各検査項目の終了を示す色と同じ色になっているので、表示部２４に表示された検査進捗表示４の色と異なる色の検査項目キー３２Ａを選択するだけで検査すべき検査項目を選ぶことができ、どの検査項目の検査項目キー３２Ａを選択すればよいのかが容易に判断でき、検査漏れ等を防ぐことができ、製品の不良等の発生を防ぐことができる。
【００６０】
なお、本発明の実施形態として、液晶テレビにおける検査システムを例示したが、表示
部を備える電子機器であればどのような電子機器であっても適用可能であり、例えば、携帯電話等の検査システムにも適用することができる。
【００６１】
また、本実施形態では、検査用リモコンにより液晶テレビを遠隔操作する検査システムを例示したが、検査用リモコンを用いずに電子機器を直接操作して検査を行う検査システムであっても、第１の実施形態及び第２の実施形態にかかる検査システム１は適用可能である。
【００６２】
また、検査進捗表示４は、色以外の表示であってもよい。例えば、文字、図形、記号、模様等の表示であっても良く、例えば、各検査項目の終了・未終了が文字で示されても良いし、アイコンなどで表示されても良い。
【図面の簡単な説明】
【００６３】
【図１】本発明に係る液晶テレビを示す正面図である。
【図２】本発明に係る液晶テレビの検査システムの主要な構成を示すブロック図である。
【図３】第１の実施形態及び第２の実施形態に係る検査用リモコンを示す平面図である。
【図４】本発明に係る液晶テレビの検査システムの動作を示すフローチャートである。
【図５】第２の実施形態に係る検査進捗表示を示す平面図である。
【図６】第３の実施形態に係る検査用リモコンを示す平面図である。
【符号の説明】
【００６４】
１，１Ａ，１Ｂ  検査システム
２  液晶テレビ（電子機器）
２３  ＣＰＵ（検査終了情報記憶手段，表示制御手段）
２３ａ  検査終了データファイル（検査終了情報記憶手段）
２３ｅ  検査進捗表示プログラム（表示制御手段）
２４  表示部
２５  通信部
３，３Ａ  検査用リモートコントローラ（検査用のリモートコントローラ）
４  検査進捗表示
【図１】
2006133410.tif 000003
【図２】
2006133410.tif 000004
【図３】
2006133410.tif 000005
【図４】
2006133410.tif 000006
【図５】
2006133410.tif 000007
【図６】
2006133410.tif 000008